(57)【特許請求の範囲】
【請求項１】
コンクリート製の本体部を備え、
前記本体部は、第１面と、前記第１面と反対側に位置する第２面とを含み、
前記第１面には、複数の研磨溝が形成され、さらに、
前記第１面上に塗布された水性接着剤層を備える、コンクリート構造体用型枠。
【請求項２】
前記本体部の引張強度は、１５００Ｎ／ｍｍ２以上である、請求項１に記載のコンクリート構造体用型枠。
【請求項３】
前記本体部を構成する前記コンクリートの内部には、補強部材が分散配置されている、請求項１または請求項２に記載のコンクリート構造体用型枠。
【請求項４】
前記補強部材は、繊維状部材である、請求項３に記載のコンクリート構造体用型枠。
【請求項５】
請求項１に記載のコンクリート構造体用型枠を支柱上に設置することで、コンクリート構造体の外形を規定する枠部を形成する工程と、
前記枠部の内部にコンクリート材料を供給する工程と、
前記コンクリート材料を固化させる工程と、
前記支柱を除去する工程とを備え、
前記枠部を形成する工程では、前記コンクリート構造体用型枠の前記第１面が前記枠部の内側に面しており、
前記固化させる工程においては、前記コンクリート構造体用型枠と前記コンクリート材料とが一体化された前記コンクリート構造体が形成される、コンクリート構造体の製造方法。
【発明の詳細な説明】
【技術分野】
【０００１】
本開示は、コンクリート構造体用型枠およびコンクリート構造体の製造方法に関する。
【背景技術】
【０００２】
コンクリート建築物の２階床スラブなど、コンクリート構造体の一例であるコンクリートスラブの従来の製造方法は以下の通りである。まず、たとえば合板で構成された型枠を所定高さに水平に敷き並べる。さらに、型枠の下面は、パイプなどからなる支保工により支持される。型枠の上に耐力上必要な量の鉄筋を配筋する。型枠上にコンクリートを打設した後、必要な養生期間経過後に支保工および型枠を解体する。上述した従来の一般的なコンクリートスラブの製造方法では、コンクリートの養生や型枠などの解体のため、施工日数が多く必要であった。そこで、特開２０１１−６９１５１号公報（特許文献１）には、型枠と打設されたコンクリートとが一体化したものをコンクリートスラブとすることで、型枠の解体を不要として施工日数を短縮することが開示されている。
【先行技術文献】
【特許文献】
【０００３】
【特許文献１】特開２０１１−６９１５１号公報
【発明の概要】
【発明が解決しようとする課題】
【０００４】
上述のように型枠と打設されたコンクリートとからコンクリート構造体を構成する場合、当該コンクリート構造体が十分な強度（引張強度）を備えるためには、型枠とコンクリートとの接合部における接合強度を十分に高くする必要がある。しかし、上記特開２０１１−６９１５１号公報においては、型枠とコンクリートとの接合強度を向上させることについて何ら言及していない。
【０００５】
本開示は、上記の課題を鑑み成されたものである。本開示の目的は、従来の一般的な方法と比べて施工日数を短縮できるとともに、十分な強度を有するコンクリート構造体を形成することが可能なコンクリート構造体用型枠およびコンクリート構造体の製造方法を提供することである。
【課題を解決するための手段】
【０００６】
本開示に従ったコンクリート構造体用型枠は、コンクリート製の本体部を備える。本体部は、第１面と、当該第１面と反対側に位置する第２面とを含む。第１面には、複数の溝が形成されている。
【０００７】
本開示に係るコンクリート構造体の製造方法は、枠部を形成する工程と、コンクリート材料を供給する工程と、固化させる工程と、除去する工程とを備える。枠部を形成する工程では、上記コンクリート構造体用型枠を支柱上に設置することで、コンクリート構造体の外形を規定する枠部を形成する。コンクリート材料を供給する工程では、枠部の内部にコンクリート材料を供給する。固化させる工程では、コンクリート材料を固化させる。除去する工程では、支柱を除去する。枠部を形成する工程では、コンクリート構造体用型枠の第１面が枠部の内側に面している。固化させる工程においては、コンクリート構造体用型枠とコンクリート材料とが一体化されたコンクリート構造体が形成される。
【発明の効果】
【０００８】
本開示によれば、従来の一般的な方法と比べて施工日数を短縮できるとともに、十分な強度を有するコンクリート構造体が得られる。
【図面の簡単な説明】
【０００９】
【図１】本実施の形態に係る建築物の模式図である。
【図２】図１中の点線で囲まれた領域ＩＩの拡大断面模式図である。
【図３】型枠の第１面の拡大断面模式図である。
【図４】型枠の第１面の態様を示す拡大平面模式図である。
【図５】本実施の形態のコンクリート構造体の製造方法の第１工程を示す概略図である。
【図６】本実施の形態のコンクリート構造体の製造方法の第２工程を示す概略図である。
【図７】本実施の形態のコンクリート構造体の製造方法の第３工程を示す概略図である。
【図８】本実施の形態に係るコンクリート構造体の効果を説明するための模式図である。
【図９】本実施の形態に係るコンクリート構造体の効果を説明するための模式図である。
【図１０】本実施の形態に係るコンクリート構造体の効果を説明するための模式図である。
【発明を実施するための形態】
【００１０】
以下、本実施の形態について、図に基づいて説明する。なお、同一の構成には同一の参照番号を付し、その説明は繰り返さない。
【００１１】
＜建築物およびコンクリート構造体の構成＞
図１は、本実施の形態に係る建築物の模式図である。図２は、図１中の点線で囲まれた領域ＩＩの拡大断面模式図である。
【００１２】
図１に示すように、本実施の形態の建築物は、壁部２とコンクリート構造体３の一例であるスラブとを備える。壁部２は、地面などの地盤面（図示せず）の上に複数設けられる。当該壁部２を繋ぐようにコンクリート構造体３が設けられている。スラブとしてのコンクリート構造体３は当該建築物の水平構造体であって、各階の床部分を支持するものである。壁部２は地盤面にほぼ垂直な方向に延びている。スラブであるコンクリート構造体３は地盤面にほぼ平行に、すなわちほぼ水平方向に延びるように形成されている。
【００１３】
図２に示すように、コンクリート構造体３は、コンクリート構造体用型枠３Ａ（以下、型枠３Ａとも呼ぶ）と、コンクリート材料３Ｂとが一体化された構成を有している。コンクリート構造体用型枠３Ａは、たとえば矩形の平面形状を有する薄板状の部材である。コンクリート構造体用型枠３Ａの具体的な構成は後述する。図２におけるコンクリート構造体用型枠３Ａの最上面である第１面３Ａａに接触するように、コンクリート材料３Ｂが配置されている。図２におけるコンクリート材料３Ｂは固化されている。
【００１４】
＜コンクリート構造体用型枠の構成＞
図３は、コンクリート構造体用型枠３Ａにおける第１面３Ａａの拡大断面模式図である。図４は、型枠３Ａの第１面３Ａａの態様を示す拡大平面模式図である。
【００１５】
本開示に従ったコンクリート構造体用型枠３Ａは、コンクリート製の本体部を備える。本体部は、第１面３Ａａと、当該第１面３Ａａと反対側に位置する第２面３Ａｂ（図２参照）とを含む。第１面３Ａａには、図４および図５に示すように複数の溝４が形成されている。溝４は任意の方法で形成することができるが、たとえばダイヤモンド砥粒による研磨により複数の溝４を形成してもよい。
【００１６】
溝４が形成された第１面３Ａａ上には水性接着剤層５が塗布されている。水性接着剤層５を構成する接着剤としては、コンクリートに対して接着力を発揮する人にの接着剤を用いることができる。たとえば、水性接着剤層５の材料としてアルカリ同化型の接着材を用いることができる。
【００１７】
上記コンクリート構造体用型枠３Ａにおいて、本体部の引張強度は、１５００Ｎ／ｍｍ２以上であってもよい。このような引張強度を得るため、コンクリート構造体用型枠３Ａは、たとえば一般公知であるコンクリートと、補強部材とを含む。補強部材としては、たとえばガラス繊維または炭素繊維などの繊維状部材を用いることができる。このような補強部材は、コンクリートの内部に分散配置されていてもよい。補強部材として、鉄筋または金属製ワイヤなどを用いてもよい。鉄筋または金属製ワイヤは、第１面３Ａａに沿って延びるように配置されていてもよい。鉄筋または金属製ワイヤは互いに平行に並ぶように配置されていてもよい。あるいは、複数の鉄筋または金属製ワイヤが互いに交差する方向に延びる要に配置されていてもよい。
【００１８】
＜コンクリート構造体の製造方法＞
図５、図６および図７は、本実施の形態のコンクリート構造体の製造方法の第１工程、第２工程および第３工程を示す概略図である。図５から図７を用いて本実施の形態のコンクリート構造体の製造方法を説明する。
【００１９】
本実施の形態に係るコンクリート構造体の製造方法では、図５に示すように、枠部を形成する工程（Ｓ１０）を実施する。この工程（Ｓ１０）では、コンクリート構造体の外形を規定する枠部を形成する。具体的には、すでに形成されている壁部２の上部に、上記コンクリート構造体用型枠３Ａを配置する。コンクリート構造体用型枠３Ａの第１面３Ａａは枠部の内側に面している。コンクリート構造体用型枠３Ａは、支保工などの支柱２０上に設置される。支柱２０は、複数の壁部２の間に配置され、コンクリート構造体用型枠３Ａを下面から支持する。また、壁部２の上部における外周を囲むように、枠部材２１が配置される。枠部材２１とコンクリート構造体用型枠３Ａと壁部２の頂面とから枠部が形成される。その後、コンクリート構造体用型枠３Ａ上に、形成されるコンクリート構造体の内部に配置される鉄筋などを設置してもよい。
【００２０】
次に、図６に示すように、コンクリート材料を供給する工程（Ｓ２０）を実施する。この工程（Ｓ２０）では、枠部の内部に流動性を有するコンクリート材料３Ｂを供給する。
【００２１】
次に、固化させる工程（Ｓ３０）を実施する。この工程（Ｓ３０）では、コンクリート材料３Ｂを固化させる。このとき、コンクリート構造体用型枠３Ａの第１面３Ａａには複数の溝４が形成されているので、コンクリート構造体用型枠３Ａの第１面３Ａａとコンクリート材料３Ｂとの接合界面における接合面積を増大させることができる。この結果、コンクリート構造体用型枠３Ａとコンクリート材料３Ｂとの接合強度を向上させることができる。上記接合界面には水性接着剤層５が配置されている場合、当該水性接着剤層５によりコンクリート構造体用型枠３Ａとコンクリート材料３Ｂとの接合強度をさらに向上させることができる。このようにして、コンクリート構造体用型枠３Ａとコンクリート材料３Ｂとが一体化されたコンクリート構造体３であるスラブが形成される。
【００２２】
次に、除去する工程（Ｓ４０）を実施する。この工程（Ｓ４０）では、支柱２０および枠部材２１を除去する。このようにして、図１に示した建築物のコンクリート構造体３を得ることができる。
【００２３】
このとき、コンクリート構造体用型枠３Ａはコンクリート構造体３の一部となっているため、従来の型枠のようにコンクリート構造体から除去する必要が無い。そのため、建築物の施工日数を従来より短縮できる。また、上述のようにコンクリート構造体用型枠３Ａの第１面３Ａａには複数の溝４が形成されているため、コンクリート構造体用型枠３Ａとコンクリート材料３Ｂとの接合界面における面積は、当該溝４が形成されていない場合より増大している。そのため、コンクリート構造体用型枠３Ａとコンクリート材料３Ｂとの接合強度を早期に向上させることができ、除去する工程（Ｓ４０）の実施タイミングを早めることができる。さらに、コンクリート構造体用型枠３Ａが補強部材を含んでいる場合、形成されるコンクリート構造体３の引張強度をコンクリート構造体用型枠３Ａによって負担することができるので、この点からも支柱２０の除去タイミングを従来の型枠を用いる場合より早めることができる。
【００２４】
また、上述した工程の後、コンクリート構造体３の外周に上層階のための壁部２を従来周知の方法で形成する。さらに、上述したコンクリート構造体３の製造方法を実施する。このように壁部２およびコンクリート構造体３の製造方法を繰り返すことで、図１に示した建築物を得ることができる。
【００２５】
＜作用効果＞
本実施の形態に従ったコンクリート構造体用型枠３Ａは、コンクリート製の本体部を備える。本体部は、第１面３Ａａと、当該第１面３Ａａと反対側に位置する第２面３Ａｂとを含む。第１面３Ａａには、複数の溝４が形成されている。
【００２６】
このようなコンクリート構造体用型枠３Ａを用いれば、上述のようにコンクリート構造体用型枠３Ａとコンクリート材料３Ｂとが一体化したコンクリート構造体３を得ることができる。このため、従来のようにコンクリート構造体を構成するコンクリート材料が固化した後、型枠を除去する工程を実施する必要が無い。このため、コンクリート構造体の施工期間を短縮できる。
【００２７】
さらに、コンクリート構造体用型枠３Ａの第１面３Ａａには複数の溝４が形成されているため、コンクリート構造体用型枠３Ａの第１面３Ａａとコンクリート材料３Ｂとの接合界面における接合面積を増大させることができる。この結果、コンクリート構造体用型枠３Ａとコンクリート材料３Ｂとの接合強度を向上させることができる。
【００２８】
上記コンクリート構造体用型枠は、第１面上に塗布された水性接着剤層５を備えていてもよい。この場合、コンクリート構造体用型枠３Ａとコンクリート材料３Ｂとの接合強度をさらに向上させることができる。
【００２９】
上記コンクリート構造体用型枠において、本体部の引張強度は、１５００Ｎ／ｍｍ２以上であってもよい。当該引張強度は、２０００Ｎ／ｍｍ２以上であってもよく、２５００Ｎ／ｍｍ２以上であってもよい。当該引張強度は、３４００Ｎ／ｍｍ２以下であってもよい。本体部の引張強度は、通常のコンクリートの圧縮強度の１０倍以上２０倍以下としてもよい。
【００３０】
この場合、コンクリート構造体用型枠３Ａ上に配置されたコンクリート材料３Ｂが配置されコンクリート構造体３が形成される際、当該コンクリート構造体３における引張強度をコンクリート構造体用型枠３Ａによって早期に得ることができる。
【００３１】
上記コンクリート構造体用型枠３Ａにおいて、本体部を構成するコンクリートの内部には、補強部材が分散配置されていてもよい。補強部材としては、たとえば繊維状部材を用いてもよい。繊維状部材としては、たとえばガラス繊維または炭素繊維を用いてもよい。
【００３２】
この場合、コンクリート構造体用型枠３Ａの引張強度を容易に向上させることができる。
【００３３】
なお、コンクリート構造体用型枠３Ａの厚さはたとえば１５ｍｍ以下とすることができる。また、コンクリート構造体用型枠３Ａは、上述のようにスラブとしてのコンクリート構造体３の一部を構成するように用いてもよいが、地面に対して垂直方向に延びる壁部２の一部を構成する材料として用いてもよい。
【００３４】
本実施の形態に係るコンクリート構造体３の製造方法は、枠部を形成する工程（Ｓ１０）と、コンクリート材料３Ｂを供給する工程（Ｓ２０）と、固化させる工程（Ｓ３０）と、除去する工程（Ｓ４０）とを備える。枠部を形成する工程（Ｓ１０）では、上記コンクリート構造体用型枠３Ａを支柱２０上に設置することで、コンクリート構造体３の外形を規定する枠部を形成する。コンクリート材料３Ｂを供給する工程（Ｓ２０）では、枠部の内部にコンクリート材料３Ｂを供給する。固化させる工程（Ｓ３０）では、コンクリート材料３Ｂを固化させる。除去する工程（Ｓ４０）では、支柱２０を除去する。枠部を形成する工程（Ｓ１０）では、コンクリート構造体用型枠３Ａの第１面３Ａａが枠部の内側に面している。固化させる工程（Ｓ３０）においては、コンクリート構造体用型枠３Ａとコンクリート材料３Ｂとが一体化されたコンクリート構造体３が形成される。
【００３５】
このようにすれば、コンクリート構造体３の構成部材としてコンクリート構造体用型枠３Ａを利用するため、従来のように型枠を除去する必要が無い。さらに、コンクリート構造体用型枠３Ａとコンクリート材料３Ｂとの接合強度が向上するため、コンクリート構造体用型枠３Ａの引張強度を利用してコンクリート構造体３を早期に支持することができる。この結果、支柱２０を除去する工程（Ｓ４０）の実施タイミングを従来より早めることができる。
【００３６】
上述した本実施の形態に係るコンクリート構造体用型枠３Ａの効果をより詳しく説明する。図８、図９および図１０は、本実施の形態に係るコンクリート構造体の効果を説明するための模式図である。図８および図９は本実施の形態に係るコンクリート構造体の参考例を示し、図１０は本実施の形態に係るコンクリート構造体を示している。
【００３７】
まず、従来の製造方法により得られたコンクリート構造体３においては、図８に示すように内部に配置された鉄筋３Ｃが引張力を負担する。そして、コンクリート材料３Ｂと鉄筋３Ｃとの接合強度が十分であれば、図８に示す矢印３０で示す方向の応力が加えられた場合でも、コンクリート構造体３は十分な引張強度を有し、特に問題は発生しない。しかし、このようにコンクリート材料３Ｂと鉄筋３Ｃとの接合強度を十分に高めるためには相当の時間が必要である。そのため、図６に示したようにコンクリート材料３Ｂを打設した後、相当期間支柱２０により支持した状態を維持する必要がある。
【００３８】
一方、支柱２０を除去する工程（Ｓ４０）を実施するタイミングが早すぎると、鉄筋３Ｃとコンクリート材料３Ｂとの接合強度が不十分となる。このとき、図９の矢印３０に示す方向の応力が加えられた場合に、矢印３２に示す引張力によってコンクリート構造体３の下面に亀裂３１が発生し、最悪コンクリート構造体３が破壊される恐れがある。
【００３９】
上記のような従来の方法に対し、本実施の形態に係るコンクリート構造体用型枠３Ａを用いたコンクリート構造体３の製造方法では、図１０に示すようにコンクリート構造体用型枠３Ａとコンクリート材料３Ｂとが一体化することでコンクリート構造体３が構成されている。そのため、型枠を除去する必要が無い。さらに、コンクリート構造体用型枠３Ａとコンクリート材料３Ｂとが早期に一体化することから、矢印３２に示すコンクリート材料３Ｂにかかる引張力を、コンクリート構造体用型枠３Ａによって負担することができる。つまり、コンクリート材料３Ｂと鉄筋３Ｃとの接合強度に頼らず、コンクリート構造体用型枠３Ａを利用してコンクリート構造体３の引張強度を施工の早い段階から高めることができる。このため、除去する工程（Ｓ４０）を実施するタイミングを従来より早めることができる。
【００４０】
今回開示された実施の形態はすべての点で例示であって制限的なものではないと考えられるべきである。本開示の基本的な範囲は上記した説明ではなくて特許請求の範囲によって示され、特許請求の範囲と均等の意味および範囲内でのすべての変更が含まれることが意図される。
【符号の説明】
【００４１】
２  壁部、３  コンクリート構造体、３Ａ  コンクリート構造体用型枠、３Ａａ  第１面、３Ａｂ  第２面、３Ｂ  コンクリート材料、３Ｃ  鉄筋、４  溝、５  水性接着剤層、２０  支柱、２１  枠部材、３０，３２  矢印、３１  亀裂。
【要約】
【課題】従来の一般的な方法と比べて施工日数を短縮できるとともに、十分な強度を有するコンクリート構造体を形成することが可能なコンクリート構造体用型枠およびコンクリート構造体の製造方法を提供する。
【解決手段】コンクリート構造体用型枠３Ａは、コンクリート製の本体部を備える。本体部は、第１面３Ａａと、当該第１面３Ａａと反対側に位置する第２面とを含む。第１面３Ａａには、複数の溝４が形成されている。このようなコンクリート構造体用型枠３Ａを用いれば、上述のようにコンクリート構造体用型枠３Ａとコンクリート材料とが一体化したコンクリート構造体を得ることができる。このため、従来のようにコンクリート構造体を構成するコンクリート材料が固化した後、型枠を除去する工程を実施する必要が無い。
【選択図】図３【図１】
0006921452.tif 000002
【図２】
0006921452.tif 000003
【図３】
0006921452.tif 000004
【図４】
0006921452.tif 000005
【図５】
0006921452.tif 000006
【図６】
0006921452.tif 000007
【図７】
0006921452.tif 000008
【図８】
0006921452.tif 000009
【図９】
0006921452.tif 000010
【図１０】
0006921452.tif 000011